(57)【要約】【課題】  使用にあたってその口部のシール材を剥がした後も、キャップ部を閉めれば容器の口部の開口端が完全に密封される容器のキャップを提供する。【解決手段】  容器のキャップ１は、容器２より突出している口部３に被せて打ち込み装着する打栓構造である。口部２の外周に打ち込んで口部２に固定するリング部４と、リング部４にヒンジ構造５によって連結されたキャップ部６からなる。キャップ部６の内側には、口部２の開口端１２をシール材１３で封止した部分の周縁部１４を押さえる内側シール部１５を備える。内側シール部１５を取り囲んで口部２との間を封止する外側シール部１６を備える。口部２の開口端１２を封止するシール材１３は、高周波誘導加熱により口部２の開口端１２に溶着する。【選択図】        図１
2005239271.tif 000002
【特許請求の範囲】
【請求項１】
容器より突出している口部に被せて打ち込み装着する容器のキャップであって、
口部の外周に打ち込んで口部に固定するリング部と、リング部にヒンジ構造によって連結されたキャップ部からなり、
キャップ部の内側には、口部の開口端をシール材で封止した部分の周縁部を押さえる内側シール部を備えるとともに、上記内側シール部を取り囲んで口部との間を封止する外側シール部を備えた
ことを特徴とする容器のキャップ。
【請求項２】
口部の開口端を封止するシール材は、高周波誘導加熱により口部の開口端に溶着されていることを特徴とする請求項１記載の容器のキャップ。
【請求項３】
請求項１または２記載のキャップを備えた容器であって、容器の口部に固定するキャップ部のリング部と容器の口部との嵌合構造がキャップの打ち込み方向に拡開したテーパ状をなしており、容器の本体部には環状凹溝が形成されていることを特徴とするキャップ付容器。
【発明の詳細な説明】
【技術分野】
【０００１】
本発明は、マヨネーズ容器やケチャップ容器などの容器において、容器から突出している口部に打ち込み装着する打栓構造の容器のキャップおよびキャップ付容器に関するものである。
【背景技術】
【０００２】
マヨネーズ容器やケチャップ容器などの容器においては、キャップ本体と蓋体とをヒンジ部で連結したキャップが多く用いられている（特開平４−１８９７５８号公報参照）。また、この種のキャップにあっては、容器から突出する口部の外周にキャップ本体（リング部）を打ち込み装着する打栓構造のものも知られている（特開２００１−７２０９０公報参照）。なお、容器の口部の開口端を高周波誘導加熱によりシールする手段は、特開平１０−２８７３４９号公報、特開昭５６−２３４８７号公報および特開昭５６−１１８４３号公報に記載されている。
【特許文献１】特開平４−１８９７５８号公報
【特許文献２】特開２００１−７２０９０公報
【特許文献３】特開平１０−２８７３４９号公報
【特許文献４】特開昭５６−２３４８７号公報
【特許文献５】特開昭５６−１１８４３号公報
【発明の開示】
【発明が解決しようとする課題】
【０００３】
容器から突出する口部の外周にキャップ本体（リング部）を打ち込み装着する打栓構造のキャップは、容器の口部に対するキャップの装着度合いが一定に規定されているので、容器の口部の外周にキャップ本体をねじ込み装着する構造のキャップのように（特開平４−１８９７５８号公報参照）、容器の口部にねじ込み度合いによってさらに深く装着することができないものである（特開２００１−７２０９０公報参照）。
【０００４】
このため、キャップ部の内側には、口部の開口端をシール材で封止した部分の周縁部を押さえる内側シール部を備えた構造のものであっても、容器に内容物を充填して口部の開口端にシール材を高周波誘導加熱により溶着すると、加熱溶着にともなって口部の開口端の高さが僅かに後退するため、使用にあたってそのシール材を剥がした後は、キャップ部を閉めても容器の口部の開口端が完全に密封されないという不都合が従来から指摘されていた。
【０００５】
そこで、本発明は、キャップ部の内側に、容器の口部の開口端をシール材で封止した部分の周縁部を押さえる内側シール部を備えるとともに、その内側シール部を取り囲んで口部との間を封止する外側シール部を備えることにより、使用にあたってその口部のシール材を剥がした後も、キャップ部を閉めれば容器の口部の開口端が完全に密封される容器のキャップを提供することを目的とするものである。
【課題を解決するための手段】
【０００６】
上記目的を達成するための本発明の請求項１に係る容器のキャップは、容器より突出している口部に被せて打ち込み装着する容器のキャップであって、口部の外周に打ち込んで口部に固定するリング部と、リング部にヒンジ構造によって連結されたキャップ部からなり、キャップ部の内側には、口部の開口端をシール材で封止した部分の周縁部を押さえる内側シール部を備えるとともに、上記内側シール部を取り囲んで口部との間を封止する外側シール部を備えたことを特徴とするものである。
【０００７】
本発明の請求項２に係る容器のキャップは、請求項１の構成において、口部の開口端を封止するシール材は、高周波誘導加熱により口部の開口端に溶着されていることを特徴とするものである。
【０００８】
また、本発明の請求項３に係るキャップ付容器は、請求項１または２記載のキャップを備えた容器であって、容器の口部に固定するキャップ部のリング部と容器の口部との嵌合構造がキャップの打ち込み方向に拡開したテーパ状をなしており、容器の本体部には環状凹溝が形成されていることを特徴とするものである。
【発明の効果】
【０００９】
本発明によれば、キャップ部の内側に、容器の口部の開口端をシール材で封止した部分の周縁部を押さえる内側シール部を備えるとともに、その内側シール部を取り囲んで口部との間を封止する外側シール部を備えることにより、使用にあたってその口部のシール材を剥がした後も、キャップ部を閉めれば容器の口部の開口端が完全に密封される容器のキャップを得ることができる。また、本発明によれば、キャップを打栓構造としたことにより、締め付けトルクの管理が容易であり、製造面におけるコストダウンを図ることができる。
【発明を実施するための最良の形態】
【００１０】
図１は本発明の一実施の形態に係る容器のキャップを容器の口部に装着した態様を示す要部断面図、図２は同上キャップ部を開いた態様を示す要部断面図である。
【００１１】
図に示すように、容器のキャップ１は、容器２より突出している口部３の外周に打ち込んで固定するリング部４と、リング部４に一体のヒンジ構造５によって連結されたキャップ部６とで構成されている。リング部４はその係止部７により口部３の係止段部８に係止固定されるようになっている。また、キャップ部６はその開口端側の内周段部９がリング部４の外周段部１０に嵌合して閉じた状態に保持される構造となっている。１１は指掛け突起部である。
【００１２】
キャップ部６の内側には、口部３の開口端１２をシール材１３で封止した部分の周縁部１４を押さえる内側シール部１５を備えるとともに、この内側シール部１５を取り囲んで口部３の封止段部１６に密接して口部３をシールする外側シール部１７を備えている。口部３の開口端１２を封止するシール材１３は、樹脂薄膜１８にアルミニウム箔１９を重合したものであって、容器２に内容物を充填した後、高周波誘導加熱により口部３の開口端１２に溶着して口部３の開口端１２をシールするものである。なお、使用時にはキャップ部６を開いたうえ上記シール材１３を剥がして口部３の開口端１２を開封する。容器の口部３に固定するキャップ部６のリング部４と口部３との嵌合構造は、キャップの打ち込み方向に拡開したテーパ状をなしており、容器２の本体部には環状凹溝２０が形成されている。この環状凹溝２０はキャップの打ち込み時の支持部となる。
【００１３】
本発明に係る容器のキャップ１によれば、上記のようにシール材１３を剥がして口部３の開口端１２を開封した後であっても、キャップ部６を閉じれば外側シール部１７が口部３の封止段部１６に密接して口部３がシールされるので、口部３の開口端１２がシール材１３の高周波誘導加熱による加熱溶着にともなってその高さが下がることがあるが、シール材１３を剥がした後もキャップ部６を閉じれば口部３を完全に封止した状態に保つことができる。
【００１４】
本発明に係る容器のキャップ１を構成する熱可塑性樹脂としては、低密度ポリエチレン、中密度ポリエチレン、高密度ポリエチレン、直鎖状低密度ポリエチレン、直鎖状超低密度ポリエチレン、ポリプロピレン、プロピレン−エチレン共重合体などのポリオレフィン系樹脂、ポリエチレンテレフタート樹脂、ナイロン−６、ナイロン−６，６などのポリアミド系樹脂、スチレン−ブタジエン−スチレンブロックコポリマー、スチレン−エチレン−ブチレン−スチレンブロックコポリマー等の熱可塑性エラストマー、またはそれらの樹脂とエチレン−酢酸ビニル共重合ケン化物などのバリア性を有する樹脂などを積層構造で用いることができる。
【図面の簡単な説明】
【００１５】
【図１】本発明の一実施の形態に係る容器のキャップを容器の口部に装着した態様を示す要部断面図である。
【図２】同上キャップ部を開いた態様を示す要部断面図である。
【符号の説明】
【００１６】
１  容器のキャップ
２  容器
３  口部
４  リング部
５  ヒンジ構造
６  キャップ部
７  係止部
８  係止段部
９  内周段部
１０  外周段部
１１  指掛け突起部
１２  開口端
１３  シール材
１４  周縁部
１５  内側シール部
１６  封止段部
１７  外側シール部
１８  樹脂薄膜
１９  アルミニウム箔
ａ  内容物
【図１】
2005239271.tif 000003
【図２】
2005239271.tif 000004